Podtech/llm-jp-corpus-v4-ja_patent huggingface dataset:
(57)【要約】【課題】シリンダボア上部の冷却効率に優れた冷却装置を提供する。【解決手段】シリンダブロック１のトップデッキ４上面に水通路５を凹設する。水通路５とシリンダヘッド６に設けたウォータジャケットを上部連通孔７を介して連通保持させる一方、上部連通孔７と対向しない位置に配設した下部連通孔８を介してシリンダブロック１側のウォータジャケット３の上端を水通路５に連通保持させたことにより、熱負荷が高いボア上部での冷却水流の流速を高くして冷却効率を高くするようにした。【選択図】        図１
2005036651.tif 000002
【特許請求の範囲】
【請求項１】
シリンダブロック１のトップデッキ４上面に凹設した水通路５と、該水通路５をシリンダヘッド６に設けたウォータジャケットに連通保持させる上部連通孔７と、シリンダボア２の周囲に沿って設けたシリンダブロック１側のウォータジャケット３の上端を前記水通路５に連通保持させる下部連通孔８を備え、前記上部連通孔７と下部連通孔８を非対向位置に配設したことを特徴とするエンジンの冷却装置。
【発明の詳細な説明】
【０００１】
【発明の属する技術分野】
本発明はエンジンの冷却装置に係り、特に、シリンダブロックのボア上部の冷却効率を高くすることができる冷却装置に関するものである。
【０００２】
【従来の技術】
シリンダブロックのボア上部の冷却効率を高くするために、シリンダボアの周囲に沿って形成したウォータジャケットの上端をそのままトップデッキ上面に開口させたものがある。しかしながら、シリンダブロックのウォータジャケットの上端をトップデッキ上面に開口させたとしても、該ウォータジャケットの上端での水流を高くすることができないために、冷却効率を充分には高くすることができなかった（例えば特許文献１、２等を参照）。
【０００３】
【特許文献１】
特開２００１−２２１０９８号公報
【０００４】
【特許文献２】
特開２００２−３４９３３８号公報
【０００５】
【発明が解決しようとする課題】
本発明は上記実情に鑑みてなされたものであって、シリンダボア上部の冷却効率に優れた冷却装置を提供することを課題としている。
【０００６】
【課題を解決するための手段】
上記課題を解決するために本発明は、シリンダブロックのトップデッキ上面に凹設した水通路と、該水通路をシリンダヘッドに設けたウォータジャケットに連通保持させる上部連通孔と、シリンダボアの周囲に沿って設けたシリンダブロック側のウォータジャケットの上端を前記水通路に連通保持させる下部連通孔を備え、前記上部連通孔と下部連通孔を非対向位置に配設したことを特徴としている。
【０００７】
【発明の実施の形態】
以下に本発明の実施形態を図に基づいて詳細に説明する。図１は本発明に係るエンジンの冷却装置の一実施形態を示す要部の縦断面図、図２は図１に示したシリンダブロックの平面図、図３は図２のＡ−Ａ断面図である。
【０００８】
これらの図において、シリンダブロック１にはシリンダボア２の周囲に沿うウォータジャケット３を設けるとともに、このウォータジャケット３より上方に位置するトップデッキ４の上面に水通路５を凹設している。
【０００９】
一方、シリンダヘッド６に設けた図示しないウォータジャケットと上記水通路５の一端を連通保持させる上部連通孔７をシリンダヘッド６に設けるとともに、シリンダブロック１側のウォータジャケット３の上端を前記水通路５の他端に連通保持させる下部連通孔８を設けている。９はヘッドガスケットであり、上部連通孔７に重合する孔をヘッドガスケット９に設けている。
【００１０】
従って、図示しないウォータポンプから送り出されてシリンダブロック１側のウォータジャケット３を上方に向って流れるエンジン冷却水を下部連通孔８から水通路５の一端に流入させ、この水通路５を流れる間にトップデッキ部４を冷却しつつ、該水通路５の他端から上部連通孔７を経てシリンダヘッド６のウォータジャケットに流入する。
【００１１】
また、上記のようなエンジン冷却水の流れに際して、シリンダブロック１側のウォータジャケット３を上昇してきたエンジン冷却水は、その上端から下部連通孔８による絞り作用を受けて水通路５に流入するために、水通路５内での流速がウォータジャケット３での流速よりも増速される。そして、流速が高いまま水通路５から上部連通孔７を通ってシリンダヘッド６側のウォータジャケットに流入するために、水通路５での熱伝達率が高くなり、効率の高い冷却が行われることになる。
【００１２】
なお、実施形態においては水通路５の一方の端部に上部連通孔７を開口させて他方の端部に下部連通孔８を開口させることにより、両連通孔７、８が対向することによるバイパス流れが発生しないようにしているが、これらの連通孔７、８を必ずしも水通路５の端部に開口させる必要性はなく、要するに上部連通孔７と下部連通孔８を対向させないようにしたものであればよい。
【００１３】
また、実施形態においては水通路５とシリンダヘッド６の下面の間にヘッドガスケット９を挟持しているが、ヘッドガスケット９の強度が許されるならば水通路５に重合する開口をヘッドガスケット９に設けて水通路５を流れる冷却水でシリンダヘッド６の下面を直接に冷却するようにすることもできる。
【００１４】
【発明の効果】
以上の説明から明らかなように本発明は、シリンダブロックのトップデッキ上面に水通路を凹設し、該水通路とシリンダヘッドに設けたウォータジャケットを上部連通孔を介して連通保持させる一方、該上部連通孔と対向しない位置に配設した下部連通孔を介してシリンダブロック側のウォータジャケットの上端を前記水通路に連通保持させたものであるから、熱負荷が高いボア上部での冷却水流の流速を高くすることができ、エンジンの冷却効率を改善することができる。
【図面の簡単な説明】
【図１】本発明に係るエンジンの冷却装置の一実施形態を示す要部の縦断面図である。
【図２】図１に示したシリンダブロックの平面図である。
【図３】図２のＡ−Ａ断面図である。
【符号の説明】
１    シリンダブロック
２    ボア
３    ウォータジャケット
４    トップデッキ
５    水通路
６    シリンダヘッド
７    上部連通孔
８    下部連通孔
９    ヘッドガスケット
【図１】
2005036651.tif 000003
【図２】
2005036651.tif 000004
【図３】
2005036651.tif 000005
(57)【要約】      （修正有）【課題】植木の剪定や果樹の収穫等に用いられる、三又型脚立は高さが高くなるほど大型化し、折りたたみ時または移動時に不便であり、また植木の剪定時に幹に正対して作業しようとすると、後方支柱が安定を保つ位置に設置不可能であり、そのために、できるだけ幹に近づけると、枝を折ったり傷つけたりすることが多く、このような欠点を克服した植木用脚立を提供する。【解決手段】はしご部６を三又型脚立の支柱の一部として利用することにより、小型化を図り、はしご部６及び支柱７，８は固定または伸縮自在とし、脚立上部に手すり１２，１３を設けることで、脚立の有効高さを限界まで利用できるようにし、はしご部６と支柱７，８は上部付近で自在金具９などにより可動可能とする。【選択図】図２
2005282319.tif 000002
【特許請求の範囲】
【請求項１】
はしご部が三又型脚立の支柱の一部として構成された植木用脚立。
【請求項２】
はしご部は支柱に固定、または脱着可能な請求項１記載の植木用脚立。
【請求項３】
それぞれの支柱とはしご部が個別に伸縮可能な請求項１記載の植木用脚立。
【請求項４】
上端部に手すりを有する脚立。
【請求項５】
伸縮型を含む従来型のはしごの上端部に、脱着自在な器具を介して、固定、または伸縮自在の二本の支柱を取り付け、機能的に三又型脚立となる植木用脚立。
【発明の詳細な説明】
【技術分野】
【０００１】
本発明は、樹木の剪定や果樹の収穫等、高所で作業を行う際に使用する植木用脚立に関するものである。
【背景技術】
【０００２】
植木用脚立としては、昔から、図１に示すような三又型脚立が利用されており、三本支柱の内、二本の支柱の間に渡した踏み棒（または板）が、はしごとして構成されており、他の一本はある程度自由に可動、設置できるようになっており、安定が良く、広く普及している。しかしながら、三又型脚立は、設置時にその特性より三本の支柱の展開角度が、それぞれ１２０度付近になる事が理想だが、脚立を高くするに従って、各辺の底部の間隔は広くならざるを得ず、現実には三又型脚立を折りたたみ、または移動する際は、はしご部分の底部の幅で制限され、はしご部の角度が１２０度よりは、はるかに小さく、作業者の正対方向には安定性があるのだか、左右方向が不安定になるという欠点があった。
【特許文献１】特開２００１−３２９９４１号公報
【０００３】
また、植木の剪定の際、幹の中心方向に向かい作業する時は、三又型脚立のはしご部は二支柱の間に固定されており、可動支柱は植木の中心方向に設置しなければ安定が悪く、その構造上、可動支柱の設置時に、時として枝を折ることも、傷つけることもあった。
【発明の開示】
【発明が解決しようとする課題】
【０００４】
かような点に鑑み、三又型脚立の本来の特性である、安定性を保ちながら、折りたたみ時または移動時に利便性を図れ、脚立を頂部まで有効に利用し、かつ作業時に植木を傷つけないようなコンパクトな植木用脚立を提供する事である。
【課題を解決するための手段】
【０００５】
本発明は、固定、または伸縮可能な三本の支柱を上部付近で、ある程度自由に可動できるようにしながら設置し、三又型に構成し、はしご部は平行型のはしご、または、伸縮型はしごを三本支柱のうちの一、または複数支柱に固定、または取り付け可能にし、はしご部を含む支柱を三本の支柱に含めることを最も主要な特徴とする。
【発明の効果】
【０００６】
三又型脚立の大きな特徴である安定性を、使用時には、従来の三又型脚立と違和感なく、折りたたみ時にはコンパクトにする事が可能で、支柱及びはしごを伸縮式にする事で、従来、収納や移動時に不便だったものが容易になり、また、伸縮式なので庭園等の高木の作業も容易となる。
【０００７】
脚立の高さが変わっても、はしご部の幅が一定の巾で頂部まで保てるので、脚立としての利便性を高めることができ、また、はしご部が支柱上にあるので、他の支柱は植木を挟むような形で設置でき、三又型脚立の安定性を保ちながら、植木を傷つけることなく剪定等の作業が可能となる。
【０００８】
脚立の上端部に手すりを設けることにより、最上段を含む脚立上部での作業が安全に行えるようになり、脚立の有効高さが高くなる。
【０００９】
はしごは、一般家庭でも普及している。その、はしごに簡単に支柱を取り付けることで、三又型脚立の機能をもたせ、簡便に剪定作業ができる。
【発明を実施するための最良の形態】
【００１０】
安定性の向上を図りながら、折りたたみ時にコンパクトにするという目的を、本来のはしごとしての機能に注目し、三又型脚立の支柱自体をはしご部とする事で実現した。
【実施例１】
【００１１】
図２は本発明の三又型脚立を説明したものであり、（ａ）は使用状態を示したものであり（ｂ）、（ｃ）は折りたたんだ時の状態を示したものである。
【００１２】
はしご部６または支柱７，８は固定または伸縮可能であり、伸縮式のものは三又型脚立の高さを自由に変えることができる。
【００１３】
はしご部の支柱１１と他の２本の支柱７，８で三又型脚立が構成でき、また、そのそれぞれの支柱の展開角度は１２０度近辺に設置可能となり、全ての方向に安定する。
【００１４】
折りたたんだ時は図２（ｂ）のように、巾はほぼはしご部の巾で決まり、上端から下端まで巾が変わることはなく、移動もしくは収納に便利となる。
【００１５】
図１に示した従来型の三又型脚立は最上段から数段下までのはしごしか利用できなかったが、手すり１２を取り付けることにより、三又型脚立の中心位置付近の安定した場所での作業が安全に行うことができるようになり、三又型脚立の有効利用高が伸びる。
【００１６】
作業場所の変更に応じて三又型脚立を移動するのは、意外と面倒で、はしご部を脱着式とすることで、作業する場所に応じて支柱の位置を変えずに、はしご部のみの付け替えだけで作業がより早くできるようになる。
【００１７】
展開防止金具１０を三又型脚立の高さに応じ、複数箇所取り付けると、支柱の強度を補助する事が可能となる。
【産業上の利用可能性】
【００１８】
折りたたみ時にコンパクトになり運搬に利便性があり、使用時には安定性が良く作業者の安全性にも配慮し、かつ高所作業用が可能な三又型脚立が提供できる。 
【図面の簡単な説明】
【００１９】
【図１】従来型の三又型脚立の概要図であり、（ａ）は設置した時の正面図、（ｂ）はその時の側面図であり、(c)、（ｄ）は折りたたみ時の正面図及び側面図である。
【図２】本発明品の説明図であり、（ａ）は設置時の様子を示したものであり（ｂ），（ｃ）は折りたたんだ時の正面図及び側面図である。（実施例１）
【符号の説明】
【００２０】
１      はしご
２      はしご用支柱
３      後方支柱
４      自在金具
５      展開防止金具またはチェーン
６      はしご部
７      支柱
８      支柱
９      自在金具
１０    展開防止金具またはチェーン
１１    はしご部支柱
１２    手すり
１３    手すり
【図１】
2005282319.tif 000003
【図２】
2005282319.tif 000004
(57)【要約】【課題】アスファルトタンクのタンク内に貯蔵されたアスファルトを貯蔵中に、安全に熱効率良く加熱する事を可能にする。【解決手段】アスファルトのタンク内に貯蔵された、アスファルトを貯蔵中に安全に熱効率良く加熱を可能にする為に、外部に加熱装置を設置して加熱し、一定の温度に設定して、再びタンク内に戻す構造にすることにより、一定の温度のアスファルトを安全に熱効率良く加熱する事が出来る。【選択図】  図１
2005282331.tif 000002
【特許請求の範囲】
【請求項１】
（イ）アスファルト貯蔵タンク（１）内の底面にアスファルト吸入用窪み（９）を設け、その中に吸入パイプ（６）を挿入して、アスファルト貯蔵タンク（１）内の下面上に設置したアスファルトポンプ（５）によってアスファルトを吸入し送出パイプ（７）によってアスファルトをフランジ（１６，１５）付き加熱装置の連結管（１９）に送出する。（ロ）アスファルト貯蔵タンク（１）側部の外部分に２００ｖの電気モーター（５３）に連結した駆動軸（５４）を設置して、アスファルト貯蔵タンク（１）内に設置されたアスファルトポンプ（５）を駆動軸（５４）で連結してアスファルトポンプ（５）を駆動する。
（ハ）連結管（１９）に送出されたアスファルトは、両端に掃除と保守、点検の出来る様にキャップ（２２，２３，２４，２５，２６，２７，２８，２９，３０，３１，３２，３３，３４，３５，３６，３７）を設けた加熱用パイプ（３８，４０，４２，４４，４６，４８，５０，５２）に送り込まれて、その加熱用パイプ相互の隙間の空間を加熱燃料用タンク（１３）から加熱燃料用パイプ（１４）を通して供給された燃料を石油バーナー（８）から噴射して燃焼させ、加熱装置収納庫（１０）の中を循環する加熱用パイプ内を通過するアスファルトを過熱して連結管（２０）よりフランジ（１７，１８）により貯蔵タンク内注入パイプ（１１）に連結されて、一定の温度に過熱されたアスファルトはアスファルト貯蔵タンク（１）の中に送出され、貯留され再循環されてアスファルト貯蔵タンク（１）内のアスファルト温度は一定に保持される。
上記の（イ、ロ、ハ、）の構造によりアスファルト貯蔵タンク（１）内のアスファルト（３）の温度を熱効率良く、平均して一定に保持できる事を特徴とするアスファルトタンクの加熱装置。
【発明の詳細な説明】
【技術分野】
【０００１】  本発明は、アスファルトタンクのタンク内に貯蔵したアスファルトを過熱する装置に関するものである。
【背景技術】
【０００２】  アスファルトタンクのタンク内に貯蔵されたアスファルトは貯蔵中に冷却してタンクからの排出が困難となるので、加熱して排出を容易にする。
【発明の開示】
【発明が解決しようとする課題】
【０００３】本発明は、アスファルトタンクのタンク内に貯蔵されたアスファルトを加熱する従来のシステムでは、タンク内の底だけに、加熱管を設置するアスファルト加熱システムでは熱効率が悪いので、タンクからアスファルトを取り出して、タンクの外部に加熱装置を設置して加熱する事により安全に熱効率良く加熱する事を可能にする必要がある。
【課題を解決するための手段】
【０００４】  本発明は、アスファルトタンクのタンク内に貯蔵されたアスファルトを貯蔵中に外部に取り出し、外部に設置した加熱装置にて加熱し一定の温度に設定してタンク内に戻す様にするので、安全に熱効率良く加熱する事が可能となる。
【発明の効果】
【０００５】  本発明は、アスファルトタンクのタンク内に貯蔵されたアスファルトを外部に取り出して加熱装置にて加熱し一定の温度に設定してタンク内に戻す構造になっているので安全であり、アスファルトを熱効率良く加熱する事が出来る。
【発明を実施するための最良の形態】
【０００６】アスファルトタンクのタンク内に貯蔵されたアスファルトを貯蔵中でも安全に熱効率良く加熱を可能にする様に、外部に加熱装置を設置して加熱し、一定の温度に設定して再びタンク内に戻す構造にして、一定の温度のアスファルトを安全に熱効率良くアスファルトを加熱する事が出来る。
【実施例】
【０００７】  図面を参照し説明します。図１に示す様に、アスファルトタンクのタンク内に貯蔵されたアスファルトをタンク内の下面に設けたアスファルト吸入用窪み（９）から吸入パイプ（６）を通して、アスファルトポンプ（５）にて吸引されて送出パイプ（７）から加熱装置に送出されて、石油バーナー（８）に拠って一定の温度にアスファルトが加熱されて、アスファルト貯蔵タンク（１）の内部に注入される事により、アスファルト貯蔵タンク（１）内にてアスファルトが循環して熱効率良く、一定の温度に保つ事が可能となる。【０００８】  図２は加熱装置の正面を表示したものであり、アスファルトポンプ（５）にて吸引されて送出パイプ（７）から送れたアスファルトはフランジ（１５，１６）にて連結管（１９）で連結された加熱装置内の加熱用パイプ内にて石油バーナー（８）に拠って一定の温度に加熱されて、アスファルト貯蔵タンク（１）の上面に注入する為の注入パイプ（１１）のフランジ（１７，１８）にて連結管（２０）で連結されて加熱されたアスファルトをアスファルト貯蔵タンク（１）内に送出する。【０００９】  図３は、加熱装置内の加熱用パイプの構造を斜視図にしたものであり、加熱パイプ（３８，４０，４２，４４，４６，４８，５０，５２）の掃除が容易に出来るように両端にキャップを（２２，２３，２４，２５，２６，２７，２８，２９，３０，３１，３２，３３，３４，３５，３６，３７）を設置して保守、点検も可能にしている。
【産業上の利用可能性】
【００１０】  アスファルトをアスファルトタンクによって貯蔵するには、アスファルトが硬化しないようにする事が最重要課題であり、本発明に拠って安全で且つ熱効率良く温度管理が可能となり利用価値が認められる。
【図面の簡単な説明】
【００１１】
【図１】  本発明品のタンクの側面図
【図２】  本発明品の加熱装置収納庫内の正面図
【図３】  本発明品の加熱パイプの斜視図
【記号の説明】
【００１２】１    アスファルト貯蔵タンク
２    開閉型マンホール
３    アスファルト
４    温度計
５    アスファルトポンプ
６    吸入パイプ
７    送出パイプ
８    石油バーナー
９    アスファルト吸入窪み
１０  加熱装置収納庫
１１  貯蔵タンク内注入パイプ
１２  排煙筒
１３  加熱燃料用タンク
１４  加熱燃料用パイプ
１５，１６，１７，１８，  フランジ
１９、２０  連結管
２１  燃料用ポンプ
２２，２３，２４，２５，２６，２７，２８，２９，３０，３１，３２，３３，３４，３５，３６，３７  キャップ
３８，４０，４２，４４，４６，４８，５０，５２  加熱用パイプ
５３  ２００Ｖ電気モーター
５４  モーター駆動軸
【図１】
2005282331.tif 000003
【図２】
2005282331.tif 000004
【図３】
2005282331.tif 000005
(57)【要約】【課題】  本発明は、回転ドアの回転部分と側壁の間に、人が挟まれた場合の充分な隙間を確保できる幅の衝撃吸収材を取り付けることにより、万が一、回転時に人が挟まれても、その衝撃を衝撃吸収材が吸収することにより、当該人に傷害を負わせることを防止することを提供するものである。【解決手段】  万が一、回転ドア回転時に人が挟まれても、その衝撃を衝撃吸収材が吸収することにより、当該人に傷害を負わせることを防止することを特徴とする、傷害防止対策回転ドア装置【選択図】  図１
2005282335.tif 000002
【特許請求の範囲】
【請求項１】
回転ドアの回転部分と側壁の間に、人が挟まれた場合の充分な隙間を確保できる幅の衝撃吸収材を取り付けることにより、万が一、回転時に人が挟まれても、その衝撃を衝撃吸収材が吸収することにより、当該人に傷害を負わせることを防止することを特徴とする、傷害防止対策回転ドア装置。
【発明の詳細な説明】
【技術分野】
【０００１】  本発明は、回転ドアの回転部分と側壁の間に、人が挟まれた場合の充分な隙間を確保できる幅の衝撃吸収材を取り付けることにより、万が一、回転時に回転部分と側壁の間に人が挟まれても、その衝撃を衝撃吸収材が吸収することにより、当該人に傷害を負わせることを防止することに関するものである。
【背景技術】
【０００２】  回転ドアは、数多くの建物に設置されており、気密性確保の都合から、回転ドアの回転部分と側壁の間は狭く、挟み込みの危険が存在するが、その安全対策は、専ら、センサーが物体を検知し回転を停止する方法に委ねられている。
【発明の開示】
【発明が解決しようとする課題】
【０００３】  その為に、次のような問題点があった。
（イ）  センサーでは死角があり、子供等小さな対象物に関しては必ずしも完璧に機能しない場合がある。
（ロ）  センサーが対象物を検知しても、回転ドアのスピードが速い場合、停止距離が長くなり、挟まれた人に傷害を負わせる危険がある。
本発明は以上の問題点を解決しようとするものである。
【課題を解決するための手段】
【０００４】  回転ドアの回転部分と側壁の間に、人が挟まれた場合の充分な隙間を確保できる幅の衝撃吸収材を取り付け、万が一、回転時に回転部分と側壁の間に人が挟まれても、その衝撃を衝撃吸収材が吸収することにより、当該人に傷害を負わせることを防止する、傷害防止対策回転ドア装置である。
【発明の効果】
【０００５】  本発明は、万が一、回転ドア回転時に人が挟まれ、回転停止センサーが適切に機能しない状況下でも、その衝撃を、充分な隙間を確保できる衝撃吸収材が吸収することにより、当該人に傷害を負わせることを防止することを可能としたものである。
【発明を実施するための最良の形態】
【０００６】    以下、本発明の実施の形態を説明する。
回転ドアの回転部分（１）と側壁（２）の間に、人が挟まれた場合でも充分な隙間を確  保できる幅の衝撃吸収材（３）を取り付ける。
本発明は、以上の構造で、これを使用するときは、上記の処置をした上、回転ドアを  稼動させる。
万が一、人が挟まれても、衝撃吸収材（３）が衝撃を吸収し、当該人に傷害を負わせ  ることを防止する。
【図面の簡単な説明】
【０００７】
【図１】本発明の側面図
【図２】本発明の使用状態を示す斜視図
【符号の説明】
【０００８】  １  回転部分
２  側壁
３  衝撃吸収材
４  回転軸
５  人
【図１】
2005282335.tif 000003
【図２】
2005282335.tif 000004
(57)【要約】【課題】今迄、盲人歩行の補助システムとしてブロックを足で踏んで確認し歩行するシステムがあった。これは予見性が欠けていた。【解決手段】ツエの石突部分に棒磁石を入れ鉄線を路面、床面に引いて、ツエの引力と当りで予見性を得る。【選択図】図１
2005282338.tif 000002
【特許請求の範囲】
【請求項１】
盲人歩行場所に鉄線を備え、盲人歩行用のツエの石突の部分に磁石を入れて、この鉄線の上面の位置が路面又は床面から数ｍｍ上に来るようにすると、盲人はこの磁石の引力及びツエの当りで方向を予見し、進行することが出来るが、更に盲人に情報を与えるため、この鉄線が、道分れ、横断歩道、階段、段差の前で、磁石との引力を利用して多くの情報を与えることが出来、且つ、より詳しい情報（歩行場所の住所・進行方向・駅からの路離、近くの店舗状況など）を与えるため、路面又は床面に設置した情報機器の磁気スイッチを石突の中の磁石でオンすることにより、盲人に与えることが出来るシステム。
【発明の詳細な説明】
【発明の詳細な説明】
【技術分野】
【０００１】  盲人歩行のための歩行補助システム。
【背景技術】
【０００２】  従来は、路面又は床面に足で踏むと判別できるブロックを埋めて、足で踏むと判別できるシステムがあった。
【発明が解決しようとする課題】
【０００３】  従来の方法では足で踏まないと、確認できない。即ち、予見性がなかった。それをツエの引力と当りで進行方向を予見できる。又、鉄線の設置費用は、今迄のブロック設置費用に対し、格安で出来ると思われる。更に、情報機器を簡単に利用できるようになり、盲人の便利度が格段に向上する。
【課題を解決するための手段】
【０００４】道路を進行方向に向かって▲１▼の鉄線の左を歩きながら、ツエで右の鉄線を引力と当りで確認する。そして情報与信の先ぶれとして面鉄板▲２▼を置き、その先数十ｃｍ行くと、情報機器▲７▼の磁気スイッチ▲３▼が鉄線から数ｃｍ左に在るように設置する。この情報機器は路面、床面にガラス板を敷き、その下に太陽電池を置いてバッテリーを充電し、この電気で操作する。
そして、進行方向の説明、店舗情報、位置などを報らせる。
そして、この先、道分れとなるときには、道分れ鉄線▲４▼，▲５▼をツエで確認して進路を決定する。
又、階段の場合は情報機器スイッチの後の部分に、鉄線▲１▼の横に鉄線▲６▼を出し、１本の場合は、その先数１０ｃｍの所に段差アリ、３本の場合は昇り階段あり、４本の場合は下り階段あり、と情報を発信することができる。
即ち、必ずしも情報機器を使わなくても、多くの情報を伝えることができる。
【発明を実施するための最良の形態】
【０００５】ブロックを路面、床面に取付けるには特殊技術者が必要だったが、鉄線を路面、床面に取付けるのは普通人でも出来る。即ち、町内会の人達のボランティアでも充分である。
又、現在あるブロック法とも両立する。
【発明の効果】
【０００６】盲人に利便を与え、安価に歩行補助システムを提供することができる。
【図面の簡単な説明】
【図１】  路面、床面上の鉄線とその他の位置関係を示す平面図。
【符号の説明】
▲１▼  鉄線
▲２▼  情報与信の先ぶれ面鉄板
▲３▼  磁気スイッチ
▲４▼  道分かれの鉄線
▲５▼  同上
▲６▼  段差、階段アリの信号鉄線
▲７▼  情報機器
【図１】
2005282338.tif 000003
(57)【要約】【課題】解決しょうとする問題点は、アンカーボルトを正確に所定の位置に固定が出来るアンカーボルトの固定材を提供することにある。【解決手段】本発明のアンカーボルトの固定材は、中央部にアンカーボルトとの固定用の穴と壁体部と完全固定のためのクサビより成り、アンカーボルトと一体のナットも施工後には抜き取ることが出来る穴を有した仕組である。【特許請求の範囲】
【請求項１】
本発明のアンカーボルトの固定材は、アンカーボルトの固定用穴とナットを取り付けたアンカーボルトも出し入れが出来る大きさのアンカーボルト抜き取り穴を有し、Ｕ字形の壁体のアンカーボルト固定部にクサビ挿入穴を設けたもので、固定用クサビをその穴に挿入することで、アンカーボルトを完全固定する構造体のアンカーボルトの固定材。
【発明の詳細な説明】
【技術分野】
【０００１】  本発明は建築構造物を作るためのコンクリート型枠にアンカーボルトを固定する固定材に関するものである。
【背景技術】
【０００２】  一般にコンクリート構造物を作るためのコンクリート型枠にアンカーボルトを固定するには型枠と型枠に２枚の桟木を渡して、その桟木にアンカーボルトを挟み込む様に取り付けてコンクリートを打設していたが所定の位置に完全に固定するには手間がかかり過ぎる欠点があった。
本発明のアンカーボルトの固定材は型枠に釘にて取り付けるのみで、完全に容易にアンカーボルトを所定位置に固定することが出来る仕組である。
【発明の開示】
アンカーボルトの固定材
【発明が解決しようとする課題】
【０００３】  解決しようとする問題点は、アンカーボルトを正確に所定の位置に固定が出来るアンカーボルトの固定材を提供することにある。
【課題を解決するための手段】
【０００４】  本発明のアンカーボルトの固定材は、中央部にアンカーボルトとの固定用の穴と壁体部と完全固定のためのクサビより成り、アンカーボルトと一体のナットも施工後には抜き取ることが出来る穴を有した仕組である。
【発明の効果】
【０００５】  本発明のアンカーボルトの固定材は、アンカーボルトをクサビで固定材に完全に固定が出来て、その固定材をコンクリート型枠に釘で容易に取り付けられるので経済的にも優れたものである。
【０００６】  本発明のアンカーボルトの固定材を使用することで、固定材にアンカーボルトが固定され、その固定材を釘で、コンクリート型枠に取り付ける仕組のものである。
【実施例】
【０００７】  本発明に係るアンカーボルトの固定材の概略構造体を示す図１は正面図、図２は側面図、図３はアンカーボルトを取り付けた状態の側面図である。【０００８】  これら図に示す様にアンカーボルトの固定材本体１の中央部近くにアンカーボルト固定用穴３と、その回りにＵ字形の壁体のアンカーボルト固定部２を有したもので、その壁体の一部にアンカーボルト８を固定するクサビ挿入穴５から成り、固定用クサビ６にてアンカーボルト８を固定材と完全固定する仕組である。【０００９】  本体１のアンカーボルト固定用穴３の続きに、この穴より大きな穴で、この穴はネジ部９にナット１０を有したアンカーボルトが出し入れできる目的のアンカーボルト抜き取り穴４である。【００１０】  本体１の両端部には型枠１１との取り付けのための釘穴７を設けたもので、この釘穴７を利用して釘１２により型枠１１に本体１を取り付ける構造体のアンカーボルトの固定材である。
【図面の簡単な説明】
【００１１】
【図１】アンカーボルトの固定材の一例を示す正面図である。
【図２】アンカーボルトの固定材の一例を示す側面図である。
【図３】アンカーボルトを取り付けた状態の側面図である。
【符号の説明】
【００１２】  １    本体
２    アンカーボルト固定部
３    アンカーボルト固定用穴
４    アンカーボルト抜き取り穴
５    クサビ挿入穴
６    固定用クサビ
７    釘穴
８    アンカーボルト
９    ネジ部
１０    ナット
１１    型枠
１２    釘
【図１】
2005282329.tif 000002
【図２】
2005282329.tif 000003
【図３】
2005282329.tif 000004
(57)【要約】【課題】本発明の目的は窓ガラスからや窓サッシから滴り落ちる結露水の水滴を、広い範囲で受け止め、カーテン下部や床面のカビや水ぬれを防ぎながらも窓の開閉を妨げず、結露によってぬれた窓ガラスにカーテンが張り付きにくく、素人でも簡単に加工して設置できる、着脱自在な結露の受け皿を提供することにある【解決手段】カーテンと窓の間において適宜幅で、窓の下部に向けて下り傾斜面を形成する受け面（２）を持つ結露水飛散防止受け具（１）を設けてなる、結露水飛散防止方法【選択図】図５
2005282326.tif 000002
【特許請求の範囲】
【請求項１】
カーテン（７）と窓の間において適宜幅で、窓の下部に向けて下り傾斜面を形成する受け面（２）を持つ結露水飛散防止受け具（１）を設けてなる、結露水飛散防止方法
【請求項２】
結露水飛散防止受け具（１）の室内側上端部（１１）は、カーテン（７）下端部より上方にしてなる、請求項１に記載の結露水飛散防止受け具（１）
【請求項３】
窓サッシ引っ掛け部分（３）に、窓サッシ（６）に接着するための、接着面（４）を形成してなる、請求項１に記載の結露水飛散防止受け具（１）
【発明の詳細な説明】
【技術分野】
【０００１】本発明は、窓ガラスから滴り落ちる結露の水がカーテン下部や床面に飛散するのを防ぐための、水切りに関するものである。
【背景技術】
【０００２】従来の結露の受け具は、窓ガラスに密着させて使用するものや、窓枠と一体型のものであった（例えば特許文献２００４−０１１１８９特許文献２００３−２７８６０号公報参照）
【発明の開示】
【発明が解決しようとする課題】
【０００３】前記の従来方法には次のような欠点があった。
イ  従来の結露の受け具で、窓ガラスに密着させるものは結露を受ける面が狭く、窓ガラ    スや窓ガラスサッシから落ちてくる結露水をうけとめきれないし、広くすれば窓ガラ    スの開閉がしにくい。そしてたまったタンクの水を捨てる作業が面倒であった。また    結露によってぬれた窓ガラスにカーテンが張り付くことを防ぐことはできなかった。
ロ  窓枠と一体型のものは、大がかりな工事を必要とし、賃貸住宅では使用できず、一度    設置すると結露の時期が過ぎても簡単にとりはずしできなかった。そして窓枠の長さ    に合わせて加工することは素人には難しかった。
本発明の目的は、窓ガラスや窓ガラスサッシから滴り落ちる結露水の水滴を、広い範囲で受け止め、カーテン下部や床面のカビや水ぬれを防ぎながらも窓の開閉を妨げず、結露によってぬれた窓ガラスにカーテンが張り付きにくく、素人でも簡単に加工して設置できる、着脱自在な結露の受け具を提供することにある
【課題を解決するための手段】
【０００４】  イ  結露水飛散防止受け具（１）は、カーテン（７）と窓の間において適宜幅で、窓の      下部に向けて、下り傾斜面を形成する受け面（２）を持つ構成にする
ロ  結露水飛散防止受け具（１）の室内側上端部（１１）がカーテン下端部より上方に      なる
ハ  結露水飛散防止受け具（１）の窓サッシ引っ掛け部分（３）に、窓サッシ（６）に      接着するための接着面（４）を形成する
【発明の効果】
【０００５】  これには次のような効果がある
イ  カーテン（７）と窓の間において適宜幅で、窓の下部に向けて、下り傾斜面を形成      した受け面（２）を持つ、結露水飛散防止受け具（１）を置くため、窓ガラス（１      ０）や窓ガラスサッシ（５）から滴り落ちる結露水（９）を広い範囲で受け止め、      カーテン下部や床面のカビや水ぬれを防止することができる。
ロ  カーテン（７）と窓の間に、適宜幅の結露水飛散防止受け具（１）を置くだけなの      で、窓の開閉を妨げない。
ハ  結露水飛散防止受け具（１）の室内側上端部（１１）が、カーテン（７）より上方      にあるため、カーテン下部に結露水飛散防止受け具（１）分の幅の隙間ができるの      で、カーテン上部も結露によってぬれた窓ガラスに張り付きにくい
ニ  結露水飛散防止受け具（１）の窓サッシ引っ掛け部分（３）に、窓サッシ（６）に      接着するための接着面（４）を形成したので、窓台（８）が狭い場合や、段差のあ      る場合は接着面（４）を使用して窓サッシに貼り付け使用することもできるし、ま      たフラットな床面や、広い窓台（８）では接着面（４）を使わず使用することもで      き、着脱自在である。
ホ  結露水飛散防止受け具（１）はカッターやはさみなどで切ったり、テープなどで貼      ったりできる素材から成れば、窓枠の長さに合わせて素人でも簡単に加工して設置      できる
【発明を実施するための最良の形態】
【０００６】以下本発明の実施の形態を実施例に基づき図面を参照して説明する。
イ  図１、図２で示すように結露水飛散防止受け具（１）の形態は、適宜幅で下り傾斜      面を形成する受け面（２）を持つようにする
ロ  図２，図３で示すように窓サッシ引っ掛け部分（３）に窓サッシ（６）に接着する      ための接着面（４）を形成することもできる
ハ  図４の断面図に示すようにカーテン（７）と窓の間において、適宜幅で下り傾斜面      を形成する受け面（２）を形成する。そして結露水飛散防止受け具（１）の室内側      上端部（１１）が、カーテン（７）下端部より上方にあるようにする。またこの図      のように窓台（８）が広い場合や、フラットな床面では接着面（４）をつけずに使      用する
ニ  図５のように窓台（８）が狭い場合や段差がある場合は接着面（４）を使用する
ホ  図６のように、本発明は、以上のような構成で、これを使用するときは、窓枠の長さにあわせ結露水飛散防止受け具（１）長さを切り，またはつなげて使用する。
【図面の簡単な説明】
【０００７】
【図１】本発明の斜視図である
【図２】本発明の接着面（４）をつけた場合の斜視図である
【図３】窓サッシ引っ掛け部分（３）の拡大部分図である
【図４】本発明の使用状態を示した断面図である
【図５】本発明の接着面（４）を使った使用状態を示す断面図である
【図６】本発明の使用状態を示す説明図である
【符号の説明】
【０００８】    １  結露水飛散防止受け具
２  受け面
３  窓サッシ引っ掛け部分
４  接着面
５  窓ガラスサッシ
６  窓サッシ
７  カーテン
８  窓台
９  結露水
１０  窓ガラス
１１  室内側上端部
【図１】
2005282326.tif 000003
【図２】
2005282326.tif 000004
【図３】
2005282326.tif 000005
【図４】
2005282326.tif 000006
【図５】
2005282326.tif 000007
【図６】
2005282326.tif 000008
(57)【要約】【課題】  本発明は従来、水路の両壁が崩れないように使用されていたＵ字溝の、過度な遮蔽による弊害を緩和するためになされたものである。【解決手段】  従来のＵ字溝の底面を、側面を支える部分のみを残し、可能な限り開けた擁壁Ｕ字溝である。【選択図】  図１
2005282327.tif 000002
【特許請求の範囲】
【請求項１】
従来のコンクリート製等のＵ字溝の底面を、側面を支える部分のみを残し可能な限り開けた、土砂の崩れを支える擁壁Ｕ字溝。
【発明の詳細な説明】
【技術分野】
【０００１】  本発明は、農業用地保全に関する、水路の側壁保持に用いる資材に関するものである。
【背景技術】
【０００２】  農業ではさまざまの掘割の用排水路に囲まれた耕地の上に作物を栽培している。故にその水路の保全と畦畔の確保は、農作業の根幹を成している。それ故、コンクリート等のＵ字溝を安易に据付け、その保持を期し、農作業の軽減を図っている現状である。
【発明の開示】
【発明が解決しようとする課題】
【０００３】  それには、次のような問題点があった。
（イ）地表の水の潅排には充分であるが、地中水分の潅排に難点がある。
（ロ）過度な遮蔽のために、自然の植生に影響を及ぼし兼ねない。
本発明は、これらの問題点を解決するためになされたものである。
【課題を解決するための手段】
【０００４】  Ｕ字溝の底部を側面を支える部分だけにして開け、そこに土砂を詰めて、自然の状態にする。支えられた側面で、水路の側壁を保持する。この事で地表の水流は保たれ、且つ地中水分は自然に潅排される。以上を特徴とする擁壁Ｕ字溝である。
【発明の効果】
【０００５】  側壁が保持されながら、底部に通水性があるため、自然の植生への影響が緩和された水路が得られる。
【発明を実施する最良の形態】
【０００６】  区画割等に掘られた水路に、敷き砂利などをして地固めをし、この考案のＵ字溝を布設し、両側を埋め戻し、且つ底面の開いたところに土砂を埋める事で、水路の地固めができる。さらに両側に盛土をする事で畦畔が確保される。
【図面の簡単な説明】
【０００７】
【図１】  本発明の斜視図
【図２】  本発明の底部を上にした斜視図
【符号の説明】
【０００８】      ａ  側面部
ｂ  底面部
【図１】
2005282327.tif 000003
【図２】
2005282327.tif 000004
(57)【要約】【課題】  ホース等を使って容器に液等を注入する場合、初めのうちはホースの重みで浮き上がらないが、液面が上がるとホースから出る液の圧力でホースが浮き上がり、容器の外に外れてしまう。この為、人がホース等を手に持って注入するか、または紐状のものか針金等で縛るか、重しを乗せる等の手間が掛かった。【解決手段】  本発明は、ホース等の先端にＬ形パイプまたはその長い側に重り、Ｔ形管、フレキシブルパイプ、鍋底状器具を取り付けたＬ形パイプを取り付けることにより、液体の流出方向を変えて浮き上がりを防止する。【選択図】  図１
2005282634.tif 000002
【特許請求の範囲】
【請求項１】
Ｌ形パイプの短い方を、ホースを差し込める様、竹の子管に加工した浮き上がり防止器具。
【請求項２】
パイプの材質に重い金属等を使用した請求項１に記載の浮き上がり防止器具。
【請求項３】
パイプの材質に軽い樹脂等を使用し、Ｌ形パイプの長い方に重い金属等の重りをつけた請求項１に記載の浮き上がり防止器具。
【請求項４】
Ｌ形パイプの長い方の先をＴ形管に加工した請求項１または２または３に記載の浮き上がり防止器具。
【請求項５】
Ｌ形パイプの長い方の先にフレキシブルパイプを取り付けた請求項１または２または３に記載の浮き上がり防止器具。
【請求項６】
Ｌ形パイプの長い方の先に鍋底状の器具を取り付けた請求項１または２または３に記載の浮き上がり防止器具。
【請求項７】
短いパイプの片側を、ホースを差し込める様、竹の子管に加工し、もう片側に鍋底状の器具を取り付けた浮き上がり防止器具。
【請求項８】
止水バルブを取り付けた請求項１から６に記載の浮き上がり防止器具
【発明の詳細な説明】
【技術分野】
【０００１】
本発明は、ホースの先端に取り付ける器具に関する。
【背景技術】
【０００２】
従来のホース先端に取り付ける器具には、散水の為のものや、ホースを延長する為の接続器具はあるが、容器への給水の際に浮き上がりを防止する為のものはない。
【発明の開示】
【発明が解決しようとする課題】
【０００３】
ホース等を使って容器に液等を注入する場合、初めのうちはホースの重みで浮き上がらないが、液面が上がるとホースから出る液の圧力でホースが浮き上がり、容器の外に外れてしまう。
【０００４】
この為、人がホース等を手に持って注入するか、または紐状のものか針金等で縛るか、重しを乗せる等の手間が掛かった。
【課題を解決するための手段】
【０００５】
本発明は、ホース等の先端に取り付けることにより、浮き上がりを防止し、上記課題を解決する。
【発明の効果】
【０００６】
本発明は、ホース等の先端に取り付けて容器に入れるだけで器具の自重や、水及び液の流出方向を変える構造によって浮き上がりを防止できる。
【０００７】
また、容器の中に水等を出して物を洗ったりする場合などには、容器の底から水等が湧き上がる状態になるので、効率が良い。
【発明を実施するための最良の形態】
【０００８】
本発明の器具の基本形は、図１に示すようにＬ形に加工したパイプで、短い方をホース等が外れない様、竹の子管に加工する。
【０００９】
市販ホース用として製造する場合、市販ホース規格の各サイズの内径に合わせてパイプ径や竹の子管の加工径を決定する。
【実施例１】
【００１０】
パイプの材質に比重の重い金属等を使用した場合、この器具の自重で浮き上がりを防止できる。
【実施例２】
【００１１】
パイプの材質に比重の軽い化学合成樹脂等を使用した場合、図２に示すようにＬ形に加工した長いほうの先端に重りを取り付けることにより、浮き上がりを防止できる。
【実施例３】
【００１２】
図３に示すようにＬ形に加工した長いほうの先端をＴ形管に加工することにより、流出する液体の圧力を両横に逃がし、浮き上がりを防止できる。
【００１３】
Ｔ形管が回転可能な構造で製造することも出来る。
【実施例４】
【００１４】
図４に示すようにＬ形に加工した長いほうの先端にフレキシブルパイプを取り付けることにより、流出する液体の圧力を任意の方向に逃がし、浮き上がりを防止できる。
【実施例５】
【００１５】
図５に示すようにＬ形に加工した長いほうの先端に、鍋底状に加工した器具を取り付ける。
【００１６】
流出する液体の圧力を先端とは逆方向に向けることによって、その反力による先端方向への力、すなわち、容器の中に向かう力を利用し、浮き上がりを防止できる。
【実施例６】
【００１７】
図３、図４、図５に示した先端の形状は、アタッチメント式に交換できるような形で製造することも出来る。
【実施例７】
【００１８】
図６は、短いパイプの片側を、ホースを差し込める様、竹の子管に加工し、もう片側に鍋底状の器具を取り付けたもので、ホースの先に取り付けるだけで図５と同様に容器の中に向かう力を利用し、浮き上がりを防止できる。
【実施例８】
【００１９】
実施例１，２，３，４，５，６のそれぞれについて、図７に示すように止水バルブを取り付けた形で製造することも出来る。
【００２０】
止水バルブの形状や取り付け位置は、図７に示したものに限らず、任意とする。
【図面の簡単な説明】
【００２１】
【図１】ホースの浮き上がり防止器具の基本形
【図２】先端に重りを取り付けたホースの浮き上がり防止器具
【図３】先端をＴ形管に加工したホースの浮き上がり防止器具
【図４】先端にフレキシブルパイプを取り付けたホースの浮き上がり防止器具
【図５】先端に鍋底状の器具を取り付けたホースの浮き上がり防止器具
【図６】短いパイプの片側に鍋底状の器具を取り付けたホースの浮き上がり防止器具
【図７】止水バルブを取り付けたホースの浮き上がり防止器具
【符号の説明】
【００２２】
１  Ｌ形パイプ
２  竹の子管
３  重り
４  Ｔ形管
５  フレキシブルパイプ
６  鍋底状器具
７  止水バルブ
【図１】
2005282634.tif 000003
【図２】
2005282634.tif 000004
【図３】
2005282634.tif 000005
【図４】
2005282634.tif 000006
【図５】
2005282634.tif 000007
【図６】
2005282634.tif 000008
【図７】
2005282634.tif 000009
(57)【要約】【課題】地下への雨水の流入を早期に検知し、これを防止して地下浸水を回避できる地下への雨水流入防止装置を提供すること。【解決手段】地下への階段３の側壁に凹部５を設け、その内部に雨水検知手段６を設ける。大雨洪水時に雨水が凹部５に流入し、雨水検知手段９がこれを検知すると、止水装置１０の止水体１１は下降し、地下への降下路を遮蔽して、地下への雨水の流入を阻止する。【選択図】図１
2005282173.tif 000002
【特許請求の範囲】
【請求項１】
地下への降下路に設けられた雨水検知手段と、この雨水検知手段の出力信号により作動して降下路を遮断し、地下への雨水の流入を防止する止水装置を備えたことを特徴とする地下への雨水流入防止装置。
【請求項２】
前記雨水検知手段の出力信号により地下への雨水の流入を報知する報知手段を備えたことを特徴とする請求項１記載の地下への雨水流入防止装置。
【発明の詳細な説明】
【技術分野】
【０００１】
本発明は、地下街などの地下への雨水を防止するための雨水流入防止装置に関するものである。
【背景技術】
【０００２】
大雨洪水時には、地下鉄の地下駅、地下街、ビルの地下室などの地下への雨水の流入事故が発生する。従来、その対策としては、地下入口などの地下への降下路に土のうを積んだり、止水板を立てかけるなどして地下への雨水の流入を防止する手段等がとられていた。
【発明の開示】
【発明が解決しようとする課題】
【０００３】
しかしながらこのような従来の対策には相当の人力を必要とし、また殊に夜間、早朝などでは迅速に対応できず、地下浸水してしまい、単に浸水被害を受けるだけでなく、場合によっては人命も失われる事態となっていた。
【０００４】
そこで本発明は、地下への雨水の流入を早期に検知し、これを未然に防止して地下浸水を回避できる地下への雨水流入防止装置を提供することを目的とする。
【課題を解決するための手段】
【０００５】
本発明の地下への雨水流入防止装置は、地下への降下路に設けられた雨水検知手段と、この雨水検知手段の出力信号により作動して降下路を遮断し、地下への雨水の流入を防止する止水装置を備えた。
【０００６】
また本発明の地下への雨水流入防止装置は、請求項１の地下への雨水流入防止装置において、前記雨水検知手段の出力信号により地下への雨水の流入を報知する報知手段を備えた。
【発明の効果】
【０００７】
本発明によれば、大雨洪水時において、地表面にあふれた雨水が降下路を流下して地下へ流入する際、雨水検知手段がこれを検出すると、止水装置は作動して地下への雨水の流入を阻止するので、地下浸水を確実に防止できる。
【発明を実施するための最良の形態】
【０００８】
以下、図面を参照して本発明の実施の形態を説明する。図１は地下への降下路の側面図、図２は同平面図、図３は雨水流入防止装置の正面図、図４は制御系のブロック図である。
【０００９】
図１において、舗道１から地下への入口部の地表面には段上り部２が設けられており、段上り部２から地下へ下りるための階段３が設けられている。階段３は地下への降下路となっている。
【００１０】
図１および図２において、階段３の側壁などの適所には凹部５が形成されている。凹部５の内部には雨水検知手段６が設けられている。本実施の形態の雨水検知手段６は雨水による端子同士の電気的導通によって、凹部５内に雨水が溜ったことを検知するものである。段上り部２の上方には止水装置１０の板状の止水体１１が設けられている。止水体１１は、降下路の適所に設けてよいものであるが、本実施の形態では地下への入口部である段上り部２の上方に設けられている。
【００１１】
次に、図３を参照して止水装置１０を説明する。地下入口などの降下路の側壁部２０には左右の側部戸当り１２が設けられており、止水体１１は側部戸当り１２に昇降自在に設けられている。側部戸当り１２上には横部材１３が設けられている。止水体１１の上部にはワイヤ１４の一端が取り付けられている。ワイヤ１４は横部材１３の上方に設けられたローラ１５を周回し、他端側はドラム１６に巻回されている。ドラム１６はモータ１７に駆動されて回転し、ワイヤ１４の巻上げ、巻戻しを行い、これにより止水体１１を昇降させる。勿論、モータ１７などの動力部以外に、止水体１１を昇降させるハンドルなどの手動操作手段を併設してもよい。
【００１２】
図４において、２１は制御部であり、雨水検知手段６、モータ１７を駆動するモータドライバ２２、雨水流入報知手段２３などが接続されている。雨水流入報知手段２３は、例えば警報発音器や警報灯などであり、地下鉄運行管理室、地下街管理室などの適所に設置される。また雨水流入報知手段２３は、止水装置１０付近の歩行者にも報知するために、止水装置１０付近にも設けることが望ましい。
【００１３】
この地下への雨水流入防止装置は上記のような構成より成り、次にその動作を説明する。図１においては、大雨洪水により雨水が段上り部２を越流し、階段３から地下へ流入し始めると（矢印Ａ）、雨水の一部は凹部５へ流入する。そして凹部５の水位が所定高さに上昇すると、雨水検知手段９はこれを検知する。するとモータ１７は駆動を開始し、上昇位置の止水体１１（図１において実線で示している）は下降し、段上り部２上に着地する（図１において、鎖線で示す止水体１１を参照）。これにより、雨水が地下に流入するのを阻止する。
【００１４】
本発明は上記実施の形態に限定されないのであって、例えば止水装置は上記止水装置以外にも、河川の水門に見られるような様々な方式のものが適用できる。
【産業上の利用可能性】
【００１５】
本発明の地下への雨水流入防止装置は、地下への雨水の流入を早期に検知し、これを阻止できるので、地下鉄の地下駅、地下街、ビルの地下室などの地下への雨水の流入防止手段として産業上利用できる。
【図面の簡単な説明】
【００１６】
【図１】本発明の実施の形態における地下への降下路の側面図
【図２】本発明の実施の形態における地下への降下路の平面図
【図３】本発明の実施の形態における地下への雨水流入防止装置の正面図
【図４】本発明の実施の形態における地下への雨水流入防止装置の制御系のブロック図
【符号の説明】
【００１７】
１  地表面
２  段上り部
３  階段
５  凹部
６  雨水検知手段
１０  止水装置
１１  止水体
【図１】
2005282173.tif 000003
【図２】
2005282173.tif 000004
【図３】
2005282173.tif 000005
【図４】
2005282173.tif 000006